(57)【要約】      （修正有）【課題】折り畳んで洋服の胸ポケットに収まるサイズになる折り畳み式コンパクトバッグを提供する。【解決手段】矩形状の正面部１２と、正面部と重なり合う矩形状の背面部１３と、正面部及び背面部の両方の側部にそれぞれ折り畳まれるマチ部１４とを備え、上部１５が開口し、底部１６が閉塞される折り畳み式コンパクトバッグであって、正面部及び背面部における上部近傍の内側に、アーチ状に拡張と折り畳み可能な持ち手２２の端部２２ａがそれぞれ縫着され、重なり合う正面部及び背面部にプリーツ加工による縦方向山折り線１７と谷折り線１８とが所定の間隔を開けて設けられ、山折り線と谷折り線とに沿って折り畳んだ状態において、複数のプリーツ加工による横方向山折り線１９と谷折り線２０とが等間隔で交互に設けられ、縦方向と横方向に折り畳んだ状態で、矩形状のコンパクト体が形成され、展開と折り畳みとが即時に可能である。【選択図】図１
0003230988.tif 000002
【実用新案登録請求の範囲】
【請求項１】
矩形状の正面部と、該正面部と重なり合う矩形状の背面部と、当該正面部及び背面部の両方の側部にそれぞれ折り畳まれて設けられるマチ部とを備え、上部が開口可能であり、底部が閉塞される折り畳み式コンパクトバッグであって、
該折り畳み式コンパクトバッグは、
前記正面部及び前記背面部における上部近傍の内側に、アーチ状に拡張可能及び折り畳み可能な持ち手の端部がそれぞれ縫着されており、
かつ、重なり合う前記正面部及び前記背面部にプリーツ加工による縦方向山折り線と縦方向谷折り線とが所定の間隔を開けて設けられており、
前記縦方向山折り線と前記縦方向谷折り線とに沿って折り畳んだ状態において、複数のプリーツ加工による横方向山折り線と横方向谷折り線とが等間隔で交互に設けられており、
前記縦方向山折り線と前記縦方向谷折り線とに沿って折り畳んで、前記横方向山折り線と前記横方向谷折り線とに沿って折り畳んだ状態で、矩形状のコンパクト体が形成できる構成であり、
該コンパクト体の展開と、該コンパクト体への折り畳みとが即時に可能な構成であること
を特徴とする折り畳み式コンパクトバッグ。
【請求項２】
前記正面部、前記背面部、前記マチ部、及び／又は前記持ち手は、抗菌防臭加工が施された生地で形成されること
を特徴とする請求項１に記載の折り畳み式コンパクトバッグ。
【考案の詳細な説明】
【技術分野】
【０００１】
本考案は、ショッピングバッグあるいはエコバッグとして好適な、折り畳み式コンパクトバッグに関するものである。
【背景技術】
【０００２】
近年、環境問題への関心の高まりにより、コンビニエンスストアやスーパーマーケットなどで用いられる使い捨てのレジ袋の使用を控えて、エコバッグを持ち歩く循環型の生活スタイルへの変化が求められている。
【０００３】
従来のエコバッグとしては、次のような構成のものが知られている。このエコバッグは、バッグ本体と、バッグ本体に設けられる一対の持ち手と、バッグ本体の開口部に沿って延出する立ち上がり部と、開口部を収縮拡張可能なよう当該開口部に沿って設けられるピアノ線とから構成される（特許文献１参照）。
【０００４】
このような構成のエコバッグは、不使用時にはピアノ線を引っ張って開口部を収縮させて小さく折り畳み、それを別体の携帯用外袋に収納してコンパクトに持ち運ぶことができる。
【先行技術文献】
【特許文献】
【０００５】
【特許文献１】実用新案登録第３０７２９３８号公報
【考案の概要】
【考案が解決しようとする課題】
【０００６】
従来例のエコバッグにおいては、携帯用外袋に収納してコンパクトにしたとしてもサイズが大きく、その厚みや膨らみによってカバンに入れた際には場所をとってしまう。そして、例えば洋服の胸ポケットに入れて持ち運ぶことは無理であるという問題点を有している。
【０００７】
また、従来例のエコバッグは、小さく折り畳むときにピアノ線を引っ張って開口部を収縮させ、あるいは、開口部を広げるときには手でピアノ線を押し広げる作業が必要であり、手間が掛かって面倒であるという欠点も有している。
【０００８】
従って、従来例におけるエコバッグにおいては、さらにコンパクトにできて、例えば洋服の胸ポケットに納まるサイズにすることと、小さくするときや広げるときに素早くできることとに解決しなければならない課題を有している。
【課題を解決するための手段】
【０００９】
前記従来例の課題を解決するための本考案の要旨は、矩形状の正面部と、該正面部と重なり合う矩形状の背面部と、当該正面部及び背面部の両方の側部にそれぞれ折り畳まれて設けられるマチ部とを備え、上部が開口可能であり、底部が閉塞される折り畳み式コンパクトバッグであって、該折り畳み式コンパクトバッグは、前記正面部及び前記背面部における上部近傍の内側に、アーチ状に拡張可能及び折り畳み可能な持ち手の端部がそれぞれ縫着されており、かつ、重なり合う前記正面部及び前記背面部にプリーツ加工による縦方向山折り線と縦方向谷折り線とが所定の間隔を開けて設けられており、前記縦方向山折り線と前記縦方向谷折り線とに沿って折り畳んだ状態において、複数のプリーツ加工による横方向山折り線と横方向谷折り線とが等間隔で交互に設けられており、前記縦方向山折り線と前記縦方向谷折り線とに沿って折り畳んで、前記横方向山折り線と前記横方向谷折り線とに沿って折り畳んだ状態で、矩形状のコンパクト体が形成できる構成であり、該コンパクト体の展開と、該コンパクト体への折り畳みとが即時に可能な構成であることである。
【００１０】
また、前記正面部、前記背面部、前記マチ部、及び／又は前記持ち手は、抗菌防臭加工が施された生地で形成されること、；
を含むものである。
【考案の効果】
【００１１】
本考案に係る折り畳み式コンパクトバッグによれば、縦方向山折り線と縦方向谷折り線とに沿って折り畳んでから、横方向山折り線と横方向谷折り線とに沿って折り畳めば、矩形状のコンパクト体を形成できる。つまり、折り畳むと洋服の胸ポケットに収まるコンパクトサイズになり、ハンカチ感覚で気軽に持ち運びができる。
縦方向山折り線、縦方向谷折り線、横方向山折り線、及び横方向谷折り線は、いずれもプリーツ加工で折り目がシッカリと形成されるので、コンパクト体の展開と、コンパクト体への折り畳みとが素早く簡単に行える。
持ち手の端部を正面部及び背面部の内側に縫着しているので、折り畳む際に持ち手が外側に広がらず、内側に折り込まれることとなる。つまり、持ち手が邪魔にならずに容易にコンパクトに折り畳める。
持ち手は、アーチ状に拡げることができるので、腕に持ち手を掛けることができて、手への負担が軽減できる。
正面部及び背面部の両方の側部にはマチ部が設けられており、十分な容量に広げて使用できるので、コンビニエンスストアの弁当、ペットボトル、紙パック飲料等々の多数の商品を安定して収納できるという種々の優れた効果を奏する。
【００１２】
また、正面部、背面部、マチ部、及び／又は持ち手は、抗菌防臭加工が施された生地で形成されることによって、衛生的であり、臭いの発生を防止できるという優れた効果を奏する。
【図面の簡単な説明】
【００１３】
【図１】本考案に係る折り畳み式コンパクトバッグの斜視図である。
【図２】本考案に係る折り畳み式コンパクトバッグの正面図である。
【図３】縦方向山折り線と縦方向谷折り線とに沿って折り畳む状態の斜視図である。
【図４】縦方向山折り線と縦方向谷折り線とに沿って折り畳んだ状態の斜視図である。
【図５】コンパクト体の斜視図である。
【図６】本考案に係る折り畳み式コンパクトバッグを手で把持した状態の説明図である。
【図７】本考案に係る折り畳み式コンパクトバッグを洋服の胸ポケットに入れる状態の説明図である。
【考案を実施するための形態】
【００１４】
次に、本考案の実施の形態について図面を参照しながら説明する。まず、図１及び図２において、符号１１は折り畳み式コンパクトバッグを示し、この折り畳み式コンパクトバッグ１１は、矩形状の正面部１２と、正面部１２と重なり合う矩形状の背面部１３と、正面部１２及び背面部１３の両方の側部の内側にそれぞれ折り畳まれて設けられるマチ部１４とを備え、上部１５が開口可能であり、底部１６が閉塞される構成である。
【００１５】
折り畳み式コンパクトバッグ１１は、布材、合成樹脂材、不織布材、又は紙材等の生地材で形成されている。これらの生地材には、所定の加工手段で抗菌防臭加工が施されており、衛生的で臭いの発生を防止できる。
また、折り畳み式コンパクトバッグ１１は、上部１５が開口してそこから収納物の出し入れが可能であり、また、底部１６は縫着、溶着、又は接着等の閉塞手段によって閉塞されている。
【００１６】
重なり合う正面部１２及び背面部１３には、図２に示すように、プリーツ加工による縦方向山折り線１７と、プリーツ加工による縦方向谷折り線１８とが所定の間隔を開けて設けられている。この縦方向山折り線１７と縦方向谷折り線１８とに沿って折り畳むと（図３参照）、縦長に折り畳まれた形状に形成される（図４参照）。
【００１７】
このように縦方向山折り線１７と縦方向谷折り線１８とに沿って折り畳んだ状態において、図４に示すように、複数のプリーツ加工による横方向山折り線１９と横方向谷折り線２０とが等間隔で交互に設けられている。
この場合、図２に示すように、折り畳み式コンパクトバッグ１１を広げた状態では、横方向山折り線１９と横方向谷折り線２０とが、縦方向山折り線１７及び縦方向谷折り線１８を介して、交互に現れることとなる。
【００１８】
以上のようにプリーツ加工による折り線が形成される折り畳み式コンパクトバッグ１１は、図４に示すように、縦方向山折り線１７と縦方向谷折り線１８とに沿って折り畳んでから、横方向山折り線１９と横方向谷折り線２０とに沿って折り畳んだ状態で、図５に示すように、矩形状のコンパクト体２１が形成できる。
【００１９】
また、正面部１２及び背面部１３の両方の側部にはマチ部１４が設けられているので、十分な容量に広げて使用できる（図１参照）。従って、例えばコンビニエンスストアの弁当、ペットボトル、紙パック飲料等の多数の商品を安定した状態で収納できる。
【００２０】
正面部１２及び背面部１３における上部１５近傍の内側には、アーチ状に拡張可能及び折り畳み可能な持ち手２２の端部２２ａがそれぞれ縫着されている。
このように、持ち手２２の端部２２ａを正面部１２及び背面部１３の内側に縫着していることによって、折り畳み式コンパクトバッグ１１を折り畳む際に持ち手２２が外側に広がらず、内側に折り込まれることとなる。従って、持ち手２２が邪魔にならずに容易にコンパクトに折り畳める。
更には、持ち手２２はアーチ状に拡げることができるので、腕に持ち手２２を掛けることができて、手への負担が軽減できる。
【００２１】
以上のように構成される折り畳み式コンパクトバッグ１１は、縦方向山折り線１７と縦方向谷折り線１８とに沿って折り畳んでから（図４参照）、横方向山折り線１９と横方向谷折り線２０とに沿って折り畳めば、矩形状のコンパクト体２１が形成できる（図５参照）。従って、折り畳むと洋服の胸ポケットに収まるコンパクトサイズになり、ハンカチ感覚で気軽に持ち運びができる（図７参照）。
【００２２】
また、縦方向山折り線１７、縦方向谷折り線１８、横方向山折り線１９、及び横方向谷折り線２０は、いずれもプリーツ加工で折り目がシッカリと形成されるので、コンパクト体の展開と、コンパクト体への折り畳みとが素早く簡単に行える。また、折り線が簡単に消えることがない。
【符号の説明】
【００２３】
１１  折り畳み式コンパクトバッグ
１２  正面部
１３  背面部
１４  マチ部
１５  上部
１６  底部
１７  縦方向山折り線
１８  縦方向谷折り線
１９  横方向山折り線
２０  横方向谷折り線
２１  コンパクト体
２２  持ち手
２２ａ  端部
【図１】
0003230988.tif 000003
【図２】
0003230988.tif 000004
【図３】
0003230988.tif 000005
【図４】
0003230988.tif 000006
【図５】
0003230988.tif 000007
【図６】
0003230988.tif 000008
【図７】
0003230988.tif 000009